(57)【要約】      （修正有）【課題】片手で引込みのタイミングを制御し、カニューレを安全にバレル内に引っ込むことができる静脈カテーテル挿入装置を提供する。【解決手段】前後２の開口端２２４，２２３と、周壁２２とを有するバレル２と、カニューレ５と、前保持部３１と、その内部に引込み室３６を有する後シェル部とを有し、前保持部がカニューレの後端部を保持し、後シェル部が前保持位置にある時、カニューレを使用状態にさせ、後シェル部が後保持位置にある時、カニューレを引込み状態にさせるハブとを備えている静脈カテーテル導入装置において、大径部の壁面に形成される保持孔と、後シェル部が前保持位置にある時、保持孔内にハブを係止する保持機構と、外部から操作されると、係止手段を解除し、後シェル部の後保持位置への摺動を可能にさせる作動手段と、カテーテルハブ４１と、前端部がカテーテルハブの前端開口から露出していてカニューレに挿通されているカテーテル４３とよりなる。【選択図】図４
2005137888.tif 000002
【特許請求の範囲】
【請求項１】
その軸方向上に互いに対向している前後２の開口端（２２４，２２３）と、該前後２の開口端の間に延伸して該前後２の開口端の開口を連通している通路（２１）を形成し、且つ、前開口端（２２４）に近接している小径部（２２８）と後開口端（２２３）に近接している大径部（２２９）とからなる周壁（２２）とを有するバレル（２）と、
前記軸方向上に互いに反対側にある前後両端部（５２，５３）を有し、その前端部が針先とされたカニューレ（５）と、
前記軸方向上に互いに反対側にある前保持部（３１）と、その内部にカニューレ（５）と連通している引込み室（３６）を有する後シェル部（３２）とを有し、後シェル部（３２）がバレル（２）の後開口端（２２３）から、大径部（２２９）の通路内に、前記軸方向に沿って小径部（２２８）に近接した前保持位置と後開口端（２２３）に近接した後保持位置との間に前後摺動可能に挿入保持されており、前保持部（３１）がカニューレ（５）の後端部（５３）を保持し、後シェル部（３２）が前記前保持位置にある時、カニューレ（５）の前端部（５２）がバレル（２）の前開口端（２２４）から露出する使用状態にさせ、後シェル部（３２）が前記後保持位置にある時、カニューレ（５）の前端部（５２）がバレル（２）の通路（２１）内に没入する引込み状態にさせるハブ（３）とを備えている静脈カテーテル導入装置において、
大径部（２２９）の壁面に形成されている保持孔（２３１）と、後シェル部（３２）が前記前保持位置にある時、保持孔（２３１）内に係止させられると共に、ハブ（３）を係止し、前記前保持位置にある後シェル部の後方への摺動を阻止することができる係止手段（２３２）とからなる保持機構と、
外部から操作されるように構成されていて、操作されると、係止手段（２３２）の係止を解除し、後シェル部（３２）の前記後保持位置への摺動を可能にさせる作動手段（３４）と、
前後延伸し且つ前後両端開口（４１３，４１１）を有するダクト（４１２）が形成してあり、且つ、後端開口（４１１）が前保持部（３１）に対して脱着可能に嵌合するよう形成されており、前端開口（４１３）が後端開口（４１１）から前方へ先細に延長、後端開口（４１１）と連通していてカニューレ（５）が後端開口（４１１）からダクト（４１２）を挿通して前端開口（４１３）から前方へ露出しているカテーテルハブ（４１）と、
前後２端部（４３２，４３１）を有する直線的な細管状で、その後端部（４３１）がカテーテルハブ（４１）の後端開口（４１１）から挿入固定されてダクト（４１２）と連通し、前端部（４３２）がカテーテルハブ（４１）の前端開口（４１３）から露出していてカニューレ（５）の前端部（５２）をそれから露出させるように、カニューレ（５）に挿通されているカテーテル（４３）とを備えていることを特徴とする静脈内カテーテル挿入装置。
【請求項２】
ハブ（３）は、更に、前保持部（３１）と後シェル部（３２）との間にそれらを連結していてカニューレ（５）を引込み室（３６）と連通させる上、そこを経由する血液を外から視認することができる表示可能な中間部（３８）を有することを特徴とする請求項１に記載の静脈内カテーテル挿入装置。
【請求項３】
ハブ（３）は、更に、後シェル部（３２）に組み合わせられていて引込み室（３６）を遮蔽する通気／通液可能な血液緩衝手段（３７）を有することを特徴とする請求項２に記載の静脈内カテーテル挿入装置。
【請求項４】
血液緩衝手段（３７）は多孔のフィルタ材から構成されたものであることを特徴とする請求項３に記載の静脈内カテーテル挿入装置。
【請求項５】
保持孔（２３１）は通孔であり、且つ、バレル（２）における大径部（２２９）の壁面に、保持孔（２３１）から長形通孔（２３）が後方へ延伸してからその末端に後保持位置と対応する後保持孔（２３３）が形成されており、
係止手段（２３２）は、後シェル部（３２）から突起してから長形通孔（２３）を経由して作動端として露出しており、後シェル部（３２）が前記前保持位置から前記後保持位置へ摺動する場合に、後シェル部（３２）の摺動に従い、長形通孔（３２）に沿って保持孔（２３１）から後保持孔（２３３）まで摺動することができ、
作動手段（３４）は、バレル（２）の周壁（２２）の外面（２２２）にあるように、係止手段（２３２）の作動端に連結されていて、操作されて長形通孔（２３）に沿って摺動すると、係止手段（２３２）もハブ（３）をつれて移動することができることを特徴とする請求項１に記載の静脈内カテーテル挿入装置。
【請求項６】
長形通孔（２３）はそれぞれ保持孔（２３１）及び後保持孔（２３３）と前収縮部（２４）及び後収縮部（２５）を経由して連通していて、それぞれ前記前保持位置及び前記後保持位置にある時、係止手段（２３２）が前後２収縮部（２４，２５）に制限され、保持孔（２３１）及び後保持孔（２３３）に係止されてその摺動を阻止されることを特徴とする請求項５に記載の静脈内カテーテル挿入装置。
【請求項７】
大径部（２２９）の壁面に、更にスリット（２７）が後保持孔（２３３）からバレル（２）の後開口端（２２３）まで延伸するように形成されていることを特徴とする請求項６に記載の静脈内カテーテル挿入装置。
【請求項８】
保持孔（２３１）は長形通孔（２３）の前端から周方向に延伸してなっていて、長形通孔（２３）に近接した近端部（２３１ａ）と、長形通孔（２３）を遠ざかった遠端部（２３１ｂ）とを有し、それにより、係止手段（２３２）が遠端部（２３１ｂ）に置かれる時、その後方への摺動及びそれに伴うハブ（３）の後シェル部（３２）の後方へ摺動が保持孔（２３１）の形状で完全に阻止されるので、そこに穏やかに係止されることを特徴とする請求項５に記載の静脈内カテーテル挿入装置。
【請求項９】
前記作動手段の一構成要素として、後シェル部（３２）とバレル（２）の内壁面（２２１）との間に、ハブ（３）に該ハブ（３）を前記後保持位置の方へ移動させる附勢力を与える弾性附勢手段（７）が介設されていることを特徴とする請求項８に記載の静脈内カテーテル挿入装置。
【請求項１０】
バレル（２）における大径部（２２９）の小径部（２２８）に近接した内壁面（２２１）に環状肩部（２２７）が形成され、後シェル部（３２）に前方へ環状肩部（２２７）と対面するように環状フランジ（３２３）が突出形成されており、
また、弾性附勢手段（７）はコイルばねであり、後シェル部（３２）が前記前保持位置にある時、それが環状肩部（２２７）と環状フランジ（３２３）との間に強制的に挟まれて前記附勢力を生じることを特徴とする請求項９に記載の静脈内カテーテル挿入装置。
【請求項１１】
後シェル部（３２）に環状突縁（３９）が突出形成され、バレル（２）における大径部（２２９）の内壁面（２２１）に環状エッジ（２２０）が前方へ環状突縁（３９）と対面するように形成されており、
また、弾性附勢手段（７）はコイルばねであり、後シェル部（３２）が前記前保持位置にある時、その前後両端（７１，７２）が引っ張られてそれぞれ環状突縁（３９）及びエッジ（２２０）に固定されていることを特徴とする請求項９に記載の静脈内カテーテル挿入装置。
【請求項１２】
前記作動手段の要素としては、バレル（２）の外壁面（２２２）に枢支されているトリガ（６）を有し、該トリガ（６）は、係止手段（２３２）と一体的に連結されている荷重端（６１）と、作動されると係止手段（２３２）が保持孔（２３１）による係止から釈放されることができる作動端（６２）とを有し、更に、
後シェル部（３２）とバレル（２）の内壁面（２２１）との間に、弾性附勢手段（７）がハブ（３）が前記後位置の方へ附勢するように介設されていることを特徴とする請求項１に記載の静脈内カテーテル挿入装置。
【請求項１３】
ハブ（３）の前保持部（３１）は、小径部（２２８）に囲まれるように、通路（２１）に置かれており、カテーテルハブ（４１）は、その後端開口（４１１）が脱着可能に小径部（２２８）に外嵌していることを特徴とする請求項１に記載の静脈内カテーテル挿入装置。
【請求項１４】
前保持部（３１）と後シェル部（３２）とは別体であり、
ハブ（３）は更に、後シェル部（３２）から前記軸方向に沿って一体的に前方へ延伸してなる上、引込み室（３６）と連通している連結部（３５）と、前保持部（３１）から前記軸方向に沿って一体的に後方へ延伸し、バレル（２）の前開口端（２２４）から脱着可能に連結部（３５）に外嵌していてカニューレ（５）を引込み室（３６）と連通させることができる嵌め部（３０）を有し、
カテーテルハブ（４１）は、その後端開口（４１１）が脱着可能に前保持部（３１）に外嵌していることを特徴とする請求項１に記載の静脈内カテーテル挿入装置。
【発明の詳細な説明】
【技術分野】
【０００１】
本発明は静脈内カテーテル挿入装置に関し、特に、使用後に、カニューレをさらさずにバレル内に収納することができる静脈内カテーテル挿入装置に関する。
【背景技術】
【０００２】
従来の静脈内カテーテル挿入装置としては、特許文献１に開示されているものがある。図１及び図２に示すように、この静脈内カテーテル挿入装置は、バレル１０と、引込み体１１と、カニューレ１２と、カテーテルハブ１３と、可撓性カテーテル１４と、ばね１５とを備えている。バレル１０は前開口端を有し、引込み体１１はバレル１０内に据え付けられている後部１１２と、バレル１０の前開口端から露出している前部１１１とを有する。引込み体１１の前部１１１にカテーテルハブ１３が脱着可能に密嵌されていて引込み体１１の後方への摺動を阻止することができる。また、可撓性カテーテル１４がカテーテルハブ１３の前端から前へ延伸ししていてカテーテルハブ１３と連通するように構成されている。カニューレ１２はカテーテルハブ１３及び可撓性カテーテル１４を貫通してその針先がカテーテル１４外に露出するように引込み体１１の前部１１１に保持されている。また、ばね１５がバレル１０の内周壁に形成されたリブ１０１と引込み体１１に形成されたばねシート１１３との間に圧縮されている。
【０００３】
この静脈内カテーテル挿入装置を使用する際、先ず、カニューレ１２の針先で患者の血管を穿刺してカテーテル１４をカニューレ１２と共に患者の血管に挿入する。それに引き続いて、一手でバレル１０を引っ張って引込み体１１の前部１１１をカテーテルハブ１３から離脱させ、カニューレ１２をカテーテル１４から抜出しながら、他の手でカテーテル１４に少々圧力を与えてカテーテル１４をカテーテルハブ１３と共に血管上に留置する。そして、輸液器具または中空バレルをカテーテルハブ１３に接続して薬剤の注射または採血を行う。
【０００４】
しかしながら、前記作業中におけるカニューレ１２のバレル１０内への引込みは、カテーテルハブ１３から引込み体１１の前部１１１を抜出す瞬間、カニューレ１２がすぐ圧縮されたばね１５の釈放力で自動的にバレル１０内に引込むので、不意に手がばね１５の釈放力による振動に衝撃され、手に持っているバレル１０が落ちたりし、バレル１０内へ引込んでいる内のカニューレ１２の針先が医療人員を傷つける事故が時々起こる。
【特許文献１】米国特許第５９８９２２０号明細書
【発明の開示】
【発明が解決しようとする課題】
【０００５】
上記に鑑みて、本発明の目的は、バレルを持っている片手でカニューレのバレル内への引込みのタイミングを制御し、カニューレを安全にバレル内に引っ込むことができる静脈カテーテル挿入装置を提供しようとすることにある。
【課題を解決するための手段】
【０００６】
前記目的を達成するために、本発明は、その軸方向上に互いに対向している前後２の開口端と、該前後２の開口端の間に延伸して該２の開口端の開口を連通している通路を形成し、且つ、前記前開口端に近接している小径部と前記後開口端に近接している大径部とからなった周壁とを有するバレルと、前記軸方向上に互いに反対している前後両端部を有し、その前端部が針先とされたカニューレと、前記軸方向上に互いに反対している前保持部と、その内部に前記カニューレと連通している引込み室を有する後シェル部とを有し、前記後シェル部が前記バレルの後開口端から、前記大径部の通路内に、前記軸方向に沿って前記小径部に近接した前保持位置と前記後開口端に近接した後保持位置との間に前後摺動可能に挿入保持されており、前記前保持部が前記カニューレの後端部を保持し、前記後シェル部が前記前保持位置にある時、前記カニューレの前端部が前記バレルの前開口端から露出する使用状態にさせ、前記後シェル部が前記後保持位置にある時、前記カニューレの前端部が前記バレルの通路内に没入する引込み状態にさせるハブとを備えている静脈カテーテル導入装置において、前記大径部の壁面に形成されている保持孔と、前記後シェル部が前記前保持位置にある時、前記保持孔内に係止させられると共に、前記ハブを係止し、前記前保持位置にある後シェル部の後方への摺動を阻止することができる係止手段とからなっている保持機構と、外部から操作されるように構成されていて、操作されると、前記係止手段の係止を解除し、前記後シェル部の前記後保持位置への摺動を可能にさせる作動手段と、前後延伸し且つ前後両端開口を有するダクトが形成してあり、且つ、前記後端開口が前記前保持部に対して脱着可能に嵌めるように形成されており、前記前端開口が前記後端開口から前方へ先細に延長する上、前記後端開口と連通していて前記カニューレが前記後端開口から前記ダクトを挿通して前記前端開口から前方へ露出しているカテーテルハブと、前後２端部を有する直線的な細管状で、その後端部が前記カテーテルハブの前記前端開口から挿入固定されて前記ダクトと連通している上、前記前端部が前記カテーテルハブの前端開口から露出していて前記カニューレの前端部をそれから露出させるように、前記カニューレに挿通されているカテーテルとを備えていることを特徴とする静脈カテーテル挿入装置を提供する。
【発明の効果】
【０００７】
上記構成による本発明の静脈内カテーテル挿入装置は、バレルを引っ張ってカニューレをカテーテルから抜出した片手で前記バレルを保持しながら、その手指で前記作動手段を操作すると、前記係止手段の係止を解除して前記ハブを前記後保持位置に摺動させることにより、前記カニューレを前記ハブの摺動に従って前記バレル内に引込むことができるので、前記カニューレの前記バレル内に引込むタイミングを制御し、従来のように不意にばねの釈放力によって手に保持されているバレルが振動して落ちる事故を避けることができ、前記カニューレの引込みが割合に安全になる。
【発明を実施するための最良の形態】
【０００８】
以下、図面を参照しながら、本発明の静脈内カテーテル挿入装置の好ましい実施形態を説明する。
【０００９】
まず、図３乃至図５を参照しながら、本発明の静脈内カテーテル挿入装置の第１の実施形態を説明する。
【００１０】
図３に示すように、本実施形態における静脈内カテーテル挿入装置はバレル２と、ハブ３と、カニューレ５と、保持機構２３１，２３２と、カテーテルハブ４１と、カテーテル４３とを備えている。
【００１１】
バレル２は、その軸方向上に互いに対向している前後２の開口端２２４，２２３と、該前後２の開口端２２４，２２３の間に延伸して該２の開口端２２４，２２３の開口を連通している通路２１を形成し、且つ、前開口端２２４に近接している小径部２２８と後開口端２２３に近接している大径部２２９とからなった周壁２２とを有する。
【００１２】
カニューレ５は、前記軸方向上に互いに反対している前後両端部５２，５３を有し、その前端部５２が針先とされる。
【００１３】
ハブ３は前記軸方向上に互いに反対している前保持部３１と、その内部にカニューレ５と連通している引込み室３６を有する後シェル部３２とを有し、前保持部３１と後シェル部３２との間に更にそれらを連結していてカニューレ５を引込み室３６と連通させる上、そこを経由する血液を外から視認することができる表示可能な中間部３８を有する。後シェル部３２がバレル２の後開口端２２３から、大径部２９の通路内に、前記軸方向に沿って小径部２２８に近接した前保持位置と後開口端２２３に近接した後保持位置との間に前後摺動可能に挿入保持されている。前保持部３１が小径部２２８に囲まれるように、通路２１に置かれている上、カニューレ５の後端部５３を保持していて、後シェル部３２が前記前保持位置にある時、カニューレ５の前端部５２がバレル１０の前開口端２２４から露出する使用状態にさせ、後シェル部３２が前記後保持位置にある時、カニューレ５の前端部５２がバレル２の通路内に没入する引込み状態にさせることができる。
【００１４】
なお、バレル２の後開口端２２３にキャップ２６が設けられている。ハブ３は、更に、後シェル部３２に組み合わせられていて引込み室３６を遮蔽する通気／通液可能な血液緩衝手段３７を有する。本実施形態において、前記通気／通液可能な血液緩衝手段３７として、多孔のフィルタ材から構成されたものが２個使用され、それぞれ後シェル部３２の前後両端を封じている。
【００１５】
前記保持機構は、大径部２２９の壁面に形成されている保持孔２３１と、後シェル部３２が前記前保持位置にある時、保持孔２３１内に係止させられると共に、ハブ３を係止し、前記前保持位置にあるハブ３の後方への摺動を阻止することができる係止手段２３２とからなっている。
【００１６】
本実施形態において、保持孔２３１は通孔であり、且つ、バレル２における大径部２２９の壁面に、保持孔２３１から長形通孔２３が後方へ延伸してからその末端に前記後保持位置と対応する後保持孔２３３が形成されている。また、長形通孔２３はそれぞれ保持孔２３１及び後保持孔２３３と前収縮部２４及び後収縮部２５を経由して連通している。
【００１７】
係止手段２３２は、後シェル部３２から突起してから長形通孔２３を経由して作動端として露出しており、後シェル部３２が前記前保持位置から前記後保持位置へ摺動する場合に、後シェル部３２の摺動に従い、長形通孔２３に沿って保持孔２３１から後保持孔２３３まで摺動することができる。従って、ハブ３がそれぞれ前記前保持位置及び前記後保持位置にある時、係止手段２３２が前後２収縮部２４，２５に制限され、保持孔２３１及び後保持孔２３３に係止されてその摺動を阻止される。
【００１８】
なお、大径部２２９の壁面に、更にスリット２７が後保持孔２３３からバレル１０の後開口端２２３まで延伸するように形成されている。それにより、大径部２２９の可撓性がある程度増加させられたので、係止手段２３２が前記前後２の保持孔２３１，２３３から前後２収縮部２４，２５を通過して長形通孔２３に入ることが容易になる上、該スリット２７を経由して長形通孔２３内に押入され装置されることもできる。
【００１９】
作動手段３４はバレル２の外部から操作されるように構成されていて、操作されると、係止手段２３２の係止を解除し、後シェル部３２の前記後保持位置への摺動を可能にさせるものである。本実施形態において、この作動手段３４はバレル２の周壁２２の外面２２２にあるように、係止手段２３２の作動端に連結されていて、操作されて長形通孔２３に沿って摺動すると、係止手段２３２もハブ３をつれてそれに従って摺動することができる。
【００２０】
カテーテルハブ４１は、前後延伸し且つ前後両端開口４１３，４１１を有するダクト４１２が形成してある。また、後端開口４１１が前保持部３１に対して互いに脱着可能に嵌め合えるように形成されている。本実施形態において、後端開口４１１が脱着可能に小径部２２８に外嵌している。前端開口４１３が後端開口４１１から前方へ先細に延長する上、後端開口４１１と連通していてカニューレ５が後端開口４１１からダクト４１２を挿通して前端開口４１３から前方へ露出している。
【００２１】
また、カテーテル４３は、前後２端部４３２，４３１を有する直線的な細管状で、その後端部４３１がカテーテルハブ４１の前端開口４１３から挿入して固定され、ダクト４１２と連通している上、前端部４３２がカテーテルハブ４１の前端開口４１３から露出していてカニューレ５の前端部５２をそれから露出させるように、カニューレ５に挿通されている。なお、カテーテルハブ４１の外壁に、前端開口４１３から露出しているカテーテル４３の前端部４３２を覆うプロテクター４５が外嵌している。
【００２２】
本実施形態の静脈内カテーテル挿入装置は、最初、図４に示すように、係止手段２３２が保持孔２３１に係止されてハブ３が前記前保持位置に保持されている状態にある。この静脈内カテーテル挿入装置を使用しようとする時、まず、プロテクター４５をカテーテルハブ４１から取り外した後、カニューレ５の針先５２で患者の血管を穿刺すると同時に、カテーテル４３の前端部４３２も患者の血管を穿刺する。そして、図５に示すように、一手でカテーテルハブ４１を保持しながら、他の手でバレル２を保持し、カテーテルハブ４１の後端開口４１１から小径部２２８を抜出すと同時に、その手指で作動手段３４を操作すると、係止手段２３２の係止を解除してハブ３を前記後保持位置に摺動させることにより、カニューレ５をハブ３の摺動に従ってバレル２内に引込むことができる。カニューレ５をバレル２内に引込んでから、カテーテル４３をカテーテルハブ４１と共にそのまま患者の血管に留置する。従って、続いてカテーテルハブ４１に輸液器具（図示せず）を接続し、薬剤の注入を行うことができる。
【００２３】
次に、図６及び図７を参照しながら、本発明の静脈内カテーテル挿入装置の第２の実施形態を説明する。図６に示すように、本実施形態において、前記第１の実施形態と異なる点は、保持孔２３１が２個あり、左右対称的にバレル（２）における大径部（２２９）の壁面に形成され、前記作動手段の要素としては、バレル２の外壁面２２２に枢支されているトリガ６を有する他、更に、後シェル部３２とバレル２の内壁面２２１との間に、ハブ３に該ハブ３を前記後保持位置の方へ移動させる附勢力を与える弾性附勢手段７が介設されていることにある。もっと詳しく説明すると、係止手段２３２もトリガ６も保持孔２３１に応じてそれぞれ２個あり、該トリガ６は、バレル２の外壁面２２２に枢支され、係止手段２３２と一体的に連結されている荷重端６１と、作動されると、係止手段２３２を保持孔２３１による係止から釈放させることができる作動端６２とを有する。
【００２４】
更に、バレル２における大径部２２９の小径部２２８に近接した内壁面２２１に環状肩部２２７が形成され、後シェル部３２に前方へ環状肩部２２７と対面するように環状フランジ３２３が突出形成されている。また、弾性附勢手段７はコイルばねであり、ハブ３が前記前保持位置にある時、それが環状肩部２２７と環状フランジ３２３との間に強制的に挟まれて前記附勢力を生じるとことができる。
【００２５】
図７に示すように、トリガ６の作動端６２が指で押圧されると、係止手段２３２が保持孔２３１による係止から釈放されると同時に、弾性附勢手段７の附勢力が釈放され、ハブ３が前記後保持位置へ押し付けられ、カニューレ５をバレル２内に引込むことができる。なお、本実施形態において、トリガ６は２個あるが、一つだけ使用されてもよい。
【００２６】
次に、図８及び図９を参照しながら、本発明の第３の実施形態を説明する。本実施形態において、前記第１の実施形態と異なる点は、図示のように、保持孔２３１は長形通孔２３の前端から周方向に延伸してなっていて、長形通孔２３に近接した近端部２３１ａと、長形通孔２３を遠ざかった遠端部２３１ｂとを有し、前収縮部２４が近端部２３１ａと遠端部２３１ｂとの間に形成されており、作動手段３４の一構成要素として、他に後シェル部３２とバレル２の内壁面２２１との間に、前記第２の実施形態と同様に、ハブ３に該ハブ３を前記後保持位置の方へ移動させる附勢力を与える弾性附勢手段７が介設されていることにある。それにより、係止手段２３２が遠端部２３１ｂに置かれる時、その後方への摺動及びそれに伴うハブ３の後方への摺動が保持孔２３１の形状で完全に阻止されるので、そこに穏やかに係止されることができる。
【００２７】
次に、図１０及び図１１を参照しながら、本発明の第４の実施形態を説明する。本実施形態において、前記第３の実施形態と異なる点は、後シェル部３２に環状突縁３９が突出形成され、バレル２の大径部２２９の内壁面２２１に環状エッジ２２０が前方へ環状突縁３９と対面するように形成さ、且つ、弾性附勢手段７がその前後両端７１，７２でそれぞれ環状突縁３９及びエッジ２２０に引っ掛けていることにある。このようにして、弾性附勢手段７は、ハブ３が前記前保持位置にある時、その前後両端７１，７２が引っ張られてハブ３に該ハブ３を前記後保持位置の方へ移動させる附勢力を与えることができる。
【００２８】
次に、図１２に示すのは本発明の第５の実施形態である。本実施形態において、前述した実施形態と異なる点は、前保持部３１と後シェル部３２とは別体であり、ハブ３は更に、後シェル部３２から前記軸方向に沿って一体的に前方へ延伸してなる上、引込み室３６と連通している連結部３５と、前保持部３１から前記軸方向に沿って一体的に後方へ延伸してなる上、バレル２の前開口端２２４から脱着可能に連結部３５に外嵌していてカニューレ５を引込み室３６と連通させることができる嵌め部３０を有し、カテーテルハブ４１は、その後端開口４１１が脱着可能に前保持部３１に外嵌していることにある。それにより、必要に応じて、適当な管径を有するカニューレ５を使用することができる。
【００２９】
次に、図１３に示すのは、本発明の第６の実施形態である。本実施形態において、前記第４及び第５の実施形態と異なる点は、弾性附勢手段７は、前端７１が後シェル部３２の内突縁に引っ掛けられており、後端７２が後開口端２２３近くに当てていることにある。
【００３０】
上述した実施形態から分かるように、本発明の静脈内カテーテル挿入装置は、片手で前記バレルを保持しながら、その手指で前記作動手段を操作すると、前記係止手段の係止を解除して前記ハブを前記後保持位置に摺動させることにより、前記カニューレを前記ハブの摺動に従って前記バレル内に引込むことができるので、前記カニューレを前記バレル内に引込むタイミングを制御し、従来のように不意にばねの釈放力で手に保持されているバレルが振動して落ちる事故を避けることができ、前記カニューレの引込みが安全になる。
【産業上の利用可能性】
【００３１】
本発明は、バレルを持っている片手でカニューレのバレル内への引込みのタイミングを制御し、カニューレを安全にバレル内に引っ込むことができる静脈カテーテル挿入装置を提供することができる。
【図面の簡単な説明】
【００３２】
【図１】米国特許第５９８９２２０号に開示された静脈内カテーテル挿入装置を示す断面図
【図２】図１の静脈内カテーテル挿入装置におけるカニューレがバレル内に引込んだ状態を示す断面図
【図３】本発明の第１の実施形態の静脈内カテーテル挿入装置を示す分解図
【図４】第１の実施形態におけるハブが前保持位置にある状態を示す断面図
【図５】第１の実施形態におけるハブが後保持位置にある状態を示す断面図
【図６】本発明の第２の実施形態におけるハブが前保持位置にある状態を示す断面図
【図７】第２の実施形態におけるハブが後保持位置にある状態を示す断面図
【図８】本発明の第３の実施形態におけるハブが前保持位置にある状態を示す断面図
【図９】第３の実施形態におけるハブが後保持位置にある状態を示す断面図
【図１０】本発明の第４の実施形態におけるハブが前保持位置にある状態を示す断面図
【図１１】第４の実施形態におけるハブが後保持位置にある状態を示す断面図
【図１２】本発明の第５の実施形態の静脈内カテーテル挿入装置を示す部分断面図
【図１３】本発明の第６の実施形態におけるハブが前保持位置にある状態を示す断面図
【符号の説明】
【００３３】
２        バレル
２１       通路
２２       周壁
２２０    環状エッジ
２２１    内面
２２２    外面
２２３    後開口端
２２４    前開口端
２２７    環状肩部
２２８    小径部
２２９    大径部
２３       長形通孔
２３１    保持孔
２３１ａ  近端部
２３１ｂ  遠端部
２３２    係止手段
２３３    後保持孔
２４       前収縮部
２５       後収縮部
２６       キャップ
２７       スリット
３        ハブ
３０       嵌め部
３１       前保持部
３２       後シェル部
３２３    環状フランジ
３４       作動手段
３５       連結部
３６       引込み室
３７       血液緩衝手段
３８       中間部
３９       環状突縁
４１       カテーテルハブ
４１１    後端開口
４１２    ダクト
４１３    前端開口
４３       カテーテル
４３１    後端部
４３２    前端部
４５       プロテクター
５        カニューレ
５２       前端部
５３       後端部
６        トリガ
６１       荷重端
６２       作動端
７        弾性附勢手段
７１       前端
７２       後端
【図１】
2005137888.tif 000003
【図２】
2005137888.tif 000004
【図３】
2005137888.tif 000005
【図４】
2005137888.tif 000006
【図５】
2005137888.tif 000007
【図６】
2005137888.tif 000008
【図７】
2005137888.tif 000009
【図８】
2005137888.tif 000010
【図９】
2005137888.tif 000011
【図１０】
2005137888.tif 000012
【図１１】
2005137888.tif 000013
【図１２】
2005137888.tif 000014
【図１３】
2005137888.tif 000015